(57)【要約】【目的】筆記軸上端に様々な可動キャラクター形状部材を取付けたボールペンやシャープペンシルのようなノック操作式筆記具において、筆記部を出没操作するためのノック操作に伴う動作を、形状を変化する可動部分の動作にだけ利用するのではなく、発光・点滅動作や発音動作といった異なった種類の動作としても利用して複合的な動作を実現する新しい筆記用具を提案する。【構成】筆記軸横に配置された筆記軸操作部３の上下ノック操作によって筆記部を出没操作するボールペンやシャープペンシルのような筆記用具１において、該上下ノック操作に伴って筆記軸上部に取付けたキャラクター形状部材２に動作が伝達され、内蔵されたギアによって動作方向を変換した上で１つ又は複数の可動部材５を可動せしめ、さらに、別に内蔵された電極部が接触してＬＥＤなどによる発光部５ｃを発光・点滅させて２種類以上の複合動作を実現する。【選択図】　　　　　　　　　　図１
0003098954.tif 000002
【実用新案登録請求の範囲】
【請求項１】
筆記軸横に配置された筆記軸操作部の上下ノック操作によって筆記部を出没操作するボールペンやシャープペンシルのような筆記用具において、該上下ノック操作に伴って筆記軸上部に取付けたキャラクター形状部材に動作が伝達され、内蔵されたギアによって動作方向を変換した上で１つ又は複数の可動部材を可動せしめ、さらに、別に内蔵された電極部が接触してＬＥＤなどによる発光部を発光・点滅させて２種類以上の複合動作を実現することを特徴としたノック操作によって多種類の複合動作を行なうノック式筆記用具。
【請求項２】
更に別に内蔵させたフライホイールにもノック操作による動作を伝達して回転動作せしめ、該フライホイールに対する発音板の接触によって発音動作をも行なわせることを特徴とした請求項１に記載のノック操作によって多種類の複合動作を行なうノック式筆記用具。
【考案の詳細な説明】
【０００１】
【考案の属する技術分野】
本考案は、筆記軸上端に様々な可動キャラクター形状部材を取付けたボールペンやシャープペンシルのようなノック操作式筆記具において、筆記部を出没操作するためのノック操作に伴う動作を、形状を変化する可動部分の動作にだけ利用するのではなく、発光・点滅動作や発音動作といった異なった種類の動作としても利用して複合的な動作を実現する新しい筆記用具を提案するものである。
【０００２】
【従来の技術】
ボールペンやシャープペンシルのような筆記具において、筆記軸先端の筆記部や筆記芯を出没操作するためにノック操作部に対する上下ノック操作を行なわしめるものは広く普及しており、このような筆記用具において需要者の趣味性を満足するために様々な立体形状のマスコット的キャラクター部材を筆記軸上部に取り付けることが行なわれている。
【０００３】
このような立体的キャラクター部材に可動部分を付属せしめ、ノック操作による上下動作を伝達して該可動部分の動作を実現するようなことも既に行なわれているところである。
【０００４】
【考案が解決しようとする課題】
しかし、上記したような従来技術のものは、採用するキャラクター形状や可動動作にヴァリエーションがあるとしても、外観形状が変化する可動動作のみであることが殆どで、発光部材や電源を利用した発光・点滅動作やフライホイールの回転動作を利用した発音動作などが複合的に実現されるものはなかった。
【０００５】
つまり、この種の筆記具の筆記軸上部に取付けるマスコット的キャラクター部材の大きさは縦横高さ共にせいぜい約２〜５ｃｍ程度の小さなものに限られ、複合的動作を実現するような部材を組み込むことができていなかったのである。
【０００６】
言い換えれば、形状変化や発光・点滅といった個々の動作は実現可能であるが、これらをシンプル且つコンパクトにまとめて多種類の動作を複合的に実現することは発想されていなかったのである。
【０００７】
【課題を解決するための手段】
本考案は、上記したような従来技術における課題を解消することについて、実験と検討を繰り返し行い創案されたものであって、ノック式筆記用具のノック操作に基づく動作を適宜に筆記具頂部の可動式マスコットキャラクターに伝達して外観的な可動変化ばかりでなく発光・点滅動作や発音動作といった別種類の可動変化をシンプル且つコンパクトな形態で実現したものであって、具体的には以下のとおりである。
【０００８】
（１）　筆記軸横に配置された筆記軸操作部の上下ノック操作によって筆記部を出没操作するボールペンやシャープペンシルのような筆記用具において、該上下ノック操作に伴って筆記軸上部に取付けたキャラクター形状部材に動作が伝達され、内蔵されたギアによって動作方向を変換した上で１つ又は複数の可動部材を可動せしめ、さらに、別に内蔵された電極部が接触してＬＥＤなどによる発光部を発光・点滅させて２種類以上の複合動作を実現することを特徴としたノック操作によって多種類の複合動作を行なうノック式筆記用具。
【０００９】
（２）　更に別に内蔵させたフライホイールにもノック操作による動作を伝達して回転動作せしめ、該フライホイールに対する発音板の接触によって発音動作をも行なわせることを特徴とした前記（１）項に記載のノック操作によって多種類の複合動作を行なうノック式筆記用具。
【００１０】
【考案の実施の形態】
上記した本考案の具体的な実施形態の若干例についてを添付図面に示すところに従って説明すると以下のとおりである。
【００１１】
すなわち、図１は、本考案によるノック式筆記用具１の代表的な１例を示したものである。
【００１２】
ここでは、キャラクター形状部材２として自動車形状を採用する場合について、筆記軸操作部３の上下ノック操作によって上下動作するシャフト４の当該動作に起因して実現される複数の可動部材５の複合的な可動変化の状況を自動車形状のキャラクター形状部材２の内部構造を透視図的に示すことにより表現しているものである。
【００１３】
つまり、この図示の場合においては、筆記軸操作部３を下方にノック操作することでシャフト４の動きが左右のアーム６、６に伝達され、可動部材５としての４つの車輪５ａ、５ｂが横倒し状態に可動変形すると共に、ＬＥＤ回路７に対する通電状態が実現して、電源８からの通電によって可動部５としてのＬＥＤによる発光部５ｃが発光・点滅等するような構造となっているものである。
【００１４】
すなわち、ノック操作によるシャフト４の下方への移動を適宜な運動伝達機構を利用して前記アーム６、６に伝えて運動の方向を変換し、通常状態の車輪５ａが横倒し状態の車輪５ｂに可動変形する構造を自動車形状のキャラクター形状部材２に内蔵せしめると同時に、同じシャフト４の下方への移動によってＬＥＤ回路７に対する通電状態をも確立するような構成を実現したものである。
【００１５】
筆記軸操作部３に対する下方へのノック操作を止めると筆記軸９内に図示の如く配置されたスプリング１０によってシャフト４は従前の位置関係に復帰し、これによって横倒し状態となった車輪５ｂも別のスプリング１１の作用によって通常状態の車輪５ａに復帰するが、同じくシャフト４の従前位置への復帰によりＬＥＤ回路７に対する通電状態も解消され、発光部５ｃの発光・点滅動作も終了するようになっているものである。
【００１６】
つまり、図１の本考案例によれば、シャフト４の上下動という一つの部材の動作に起因して、複数の可動部５のそれぞれに異なった種類の可動変化（車輪５ａの横倒しとＬＥＤ発光部５ｃの発光・点滅）が、同時且つ複合的に実現されるものである。
【００１７】
この種のノック式筆記用具１において、その頂部に取付けたキャラクター形状部材２に可動部を設ける場合に特定種類の動作のみを実現させることは一般化しているが、複数種類の動作を複合的に実現することはあまり行なわれてこなかった。すなわち、前記したように、この場合のキャラクター形状部材２の大きさはそれ程大きなものとすることができず、機構的にも複雑なものを採用することができなかったからである。
【００１８】
しかしながら、筆記軸操作部３に対するノック式操作に起因するシャフト４の上下動作を利用して複数種類の動作を複合的に行うものとし、しかも機構の一部を筆記軸８内にも部分的に収容する構成とすることで、キャラクター形状部材２のサイズが限定されたものであってもシンプルな機構を採用して複合的な可動変化を実現することが可能となったものである。
【００１９】
本考案では、更に別の可動変化をも複合的に実現させることができる。
すなわち、キャラクター形状部材２内または筆記軸９内にフライホイールを内蔵せしめ、これをもノック操作によるシャフト４の上下動作を利用して適宜な回転動作をするものとして構成し、該フライホイールに発音板の如きが接触しているようにしておけば、フライホイールが回転動作することで様々な擬音等が発生する発音動作を実現することが可能であることは明らかである。
【００２０】
このような複合的組合わせを実現することで、可動部の可動変化として物理的な可動部材５ａの変化と発光部５ｃの発光・点滅変化、発音部による擬音発生の如きを筆記軸操作部３に対するノック操作のみによって実現することができ、従来にない複合的な娯楽性を実現することができるようになるものである。
【００２１】
図２は、自動車形状をキャラクター形状部材２として採用した場合の可動変化の様子を外観形状的に捉えて表現した図面である。つまり、筆記軸操作部３をノック操作する前は、図２（ａ）にあるように車輪５ａは通常の状態であり、ＬＥＤによる発光部５ｃも発光・点滅していない。しかし、筆記軸操作部３を下方にノック操作すると図２（ｂ）に示すように横倒し状態の車輪５ｂと変化し、発光部５ｃも発光・点滅動作するようになるものである。
【００２２】
このような筆記軸操作部３に対するノック操作によって引き起こされる筆記軸９に内蔵されたシャフト４の上下動作を利用して複数の可動部５に対して複合的な可動変化を生じさせる際に採用するキャラクター形状部材２の外観形状は上記のような自動車形状に限定されるものではない。つまり、シャフト４の上下動作を利用して物理的な形状変化や発光・点滅動作、擬音などの発音動作が複合的に実現されるものであれば、キャラクター形状部材２自体の外観形状はどのようなものであっても構わないのである。
【００２３】
図３は、自動車形状以外のものとして採用可能なキャラクター形状部材２の外観形状の一例を示すものである。すなわち、ドクロ形状を採用したもので、この場合、図３（ａ）にあるように筆記軸操作部３に対してノック操作を行なわないと可動部５であるドクロの口部分は閉じたままであるが、図３（ｂ）のようにノック操作を行なうとドクロの口部分が開くと共に目部分に内蔵したＬＥＤによる発光部５ｃが発光・点滅動作するものである。もちろん、この場合にもフライホイールと発音板の如きを内蔵せしめ、ノック操作に起因して擬音による発音動作をも同時複合的に実現するものとして構わない。
【００２４】
【考案の効果】
以上説明したような本考案によるならば、ボールペンやシャープペンシルといったノック式筆記用具において、筆記軸頂部に取付けたキャラクター形状部材の複数の可動部を、筆記軸操作部のノック操作によって筆記軸内蔵のシャフトを上下動作せしめ、これを利用して簡易且つコンパクトな構成でありながら同時複合的に可動変化させることが可能になり、この種の物品として付加価値性を高めて新たな需要を喚起するものと理解され、工業的にその価値が高い考案である。
【図面の簡単な説明】
【図１】本考案の実施形態の１例について、内部構造を透視図的に示して表現した図面である。
【図２】図１に示したものの外観形状変化を示した図面である。
【図３】上記以外の形状をキャラクター形状部材として採用した場合の可動変化の１例を示した図面である。
【符号の説明】
１　　本考案のノック式筆記用具
２　キャラクター形状部
３　筆記軸操作部
４　シャフト
５　可動部
５ａ　通常状態の車輪
５ｂ　横倒し状態の車輪
５ｃ　ＬＥＤによる発光部
６　アーム
７　ＬＥＤ回路
８　電源
９　　筆記軸
１０　スプリング
１１　別のスプリング
【図１】
0003098954.tif 000003
【図２】
0003098954.tif 000004
【図３】
0003098954.tif 000005